(57)【要約】【課題】離れた位置に存在する人物の意図した撮影を確実に行う。【解決手段】撮影部３０４は、撮影に関する撮影設定データを用いて、下見撮影を行う。送信部３０７は、撮影部３０４による下見撮影の結果得られた素材データと、その下見撮影に用いられた撮影設定データである下見使用撮影設定データとを、本番撮影に用いる撮影設定データとして推奨される本番推奨撮影設定データを決定する素材利用装置に送信する。取得部３０１は、素材利用装置により下見使用撮影設定データに基づいて決定された本番推奨撮影設定データを、素材利用装置から取得する。本発明は、例えば、他の装置と通信可能なビデオカメラに適用することができる。【選択図】図７
2007295479.tif 000002
【特許請求の範囲】
【請求項１】
所定のシーンの本番用の撮影である本番撮影の前に、そのシーンの下見用の撮影である下見撮影を行う撮影装置において、
撮影に関する設定データを用いて、前記下見撮影を行う撮影手段と、
前記撮影手段による下見撮影の結果得られた映像データと、その下見撮影に用いられた設定データである下見設定データとを、前記本番撮影に用いる設定データである本番設定データとして推奨される本番推奨設定データを決定する情報処理装置に送信する送信手段と、
前記情報処理装置により、前記下見設定データに基づいて決定された前記本番推奨設定データを、前記情報処理装置から取得する取得手段と
を備える撮影装置。
【請求項２】
前記送信手段は、前記下見撮影の結果得られた映像データと、その下見撮影に用いられた下見設定データとを、前記シーンごとに、前記情報処理装置に送信し、
前記取得手段は、前記下見設定データに基づいて決定された、その下見設定データに対応するシーンの本番推奨設定データを、前記情報処理装置から取得する
請求項１に記載の撮影装置。
【請求項３】
前記撮影手段はまた、前記本番推奨設定データを用いて、前記本番撮影を行う
請求項１に記載の撮影装置。
【請求項４】
前記本番推奨設定データを変更する変更手段
をさらに備え、
前記撮影手段は、前記変更手段により変更された本番推奨設定データを、前記本番設定データとして用いて、前記本番撮影を行い、
前記送信手段は、前記本番設定データを、前記情報処理装置に送信する
請求項１に記載の撮影装置。
【請求項５】
前記下見設定データとして推奨される設定データである下見推奨設定データを変更する変更手段
をさらに備え、
前記取得手段はまた、前記下見推奨設定データを取得し、
前記撮影手段は、前記変更手段により変更された下見推奨設定データを用いて、前記下見撮影を行う
請求項１に記載の撮影装置。
【請求項６】
所定のシーンの本番用の撮影である本番撮影の前に、そのシーンの下見用の撮影である下見撮影を行う撮影装置の撮影方法において、
撮影に関する設定データを用いて、前記下見撮影を行い、
前記下見撮影の結果得られた映像データと、その下見撮影に用いられた設定データである下見設定データとを、前記本番撮影に用いる設定データである本番設定データとして推奨される本番推奨設定データを決定する情報処理装置に送信し、
前記情報処理装置により、前記下見設定データに基づいて決定された前記本番推奨設定データを、前記情報処理装置から取得する
ステップを含む撮影方法。
【請求項７】
所定のシーンの本番用の撮影である本番撮影の前に、そのシーンの下見用の撮影である下見撮影を行う処理を、コンピュータに実行させるプログラムにおいて、
撮影に関する設定データを用いて、前記下見撮影を行い、
前記下見撮影の結果得られた映像データと、その下見撮影に用いられた設定データである下見設定データとを、前記本番撮影に用いる設定データである本番設定データとして推奨される本番推奨設定データを決定する情報処理装置に送信し、
前記情報処理装置により、前記下見設定データに基づいて決定された前記本番推奨設定データを、前記情報処理装置から取得する
ステップを含むプログラム。
【発明の詳細な説明】
【技術分野】
【０００１】
本発明は、撮影装置および撮影方法、並びにプログラムに関し、特に、離れた位置に存在する人物の意図した撮影を確実に行うことができるようにした撮影装置および撮影方法、並びにプログラムに関する。
【背景技術】
【０００２】
映像製作においては、所定のシーンの本番用の撮影である本番撮影の前に、そのシーンの下見用の撮影である下見撮影が行われている。このとき、撮影者は、撮影時の絞り、ホワイトバランス、ゲインなどの数値情報を、撮影装置に設定データとして設定し、下見撮影を行い、その設定データをメモリカードなどに記録させる。
【０００３】
なお、この設定データは、メモリカードなどに記録されるのではなく、映像製作に関わる人達で共有するために設けられたウェブサイトに記録される、構成表を形成する情報として記録される場合もある(例えば、特許文献１参照)。なお、構成表とは、映像製作に必要な項目が設けられて、その項目に対応する各種の情報が記述された表である。
【０００４】
【特許文献１】特開２００４−３１２６５９号公報
【発明の開示】
【発明が解決しようとする課題】
【０００５】
しかしながら、映像製作者が、撮影者と離れた位置に存在する場合、映像製作者は、撮影者から送信された下見撮影の結果を確認し、その結果が、例えば、明るさ、コントラスト、色合いなどの違いにより、自分の意図した雰囲気と異なる雰囲気の映像であるとき、その旨を、電話等を用いて撮影者に伝達する。そして、撮影者は、製作者から伝達された内容と、メモリカードやウェブサイトに記録されている設定データとを基に、新たな設定データを決定し、その設定データを用いて本番撮影を行う。
【０００６】
従って、本番撮影の結果が、映像製作者の意図した雰囲気の映像であるかどうかは、撮影者の技量によって大きく左右されてしまう。
【０００７】
本発明は、このような状況に鑑みてなされたものであり、離れた位置に存在する人物の意図した撮影を確実に行うことができるようにするものである。
【課題を解決するための手段】
【０００８】
本発明の一側面の撮影装置は、所定のシーンの本番用の撮影である本番撮影の前に、そのシーンの下見用の撮影である下見撮影を行う撮影装置において、撮影に関する設定データを用いて、前記下見撮影を行う撮影手段と、前記撮影手段による下見撮影の結果得られた映像データと、その下見撮影に用いられた設定データである下見設定データとを、前記本番撮影に用いる設定データである本番設定データとして推奨される本番推奨設定データを決定する情報処理装置に送信する送信手段と、前記情報処理装置により、前記下見設定データに基づいて決定された前記本番推奨設定データを、前記情報処理装置から取得する取得手段とを備える。
【０００９】
前記送信手段は、前記下見撮影の結果得られた映像データと、その下見撮影に用いられた下見設定データとを、前記シーンごとに、前記情報処理装置に送信し、前記取得手段は、前記下見設定データに基づいて決定された、その下見設定データに対応するシーンの本番推奨設定データを、前記情報処理装置から取得することができる。
【００１０】
前記撮影手段はまた、前記本番推奨設定データを用いて、前記本番撮影を行うことができる。
【００１１】
前記撮影装置は、前記本番推奨設定データを変更する変更手段をさらに設け、前記撮影手段は、前記変更手段により変更された本番推奨設定データを、前記本番設定データとして用いて、前記本番撮影を行い、前記送信手段は、前記本番設定データを、前記情報処理装置に送信することができる。
【００１２】
前記撮影装置は、前記下見設定データとして推奨される設定データである下見推奨設定データを変更する変更手段をさらに設け、前記取得手段はまた、前記下見推奨設定データを取得し、前記撮影手段は、前記変更手段により変更された下見推奨設定データを用いて、前記下見撮影を行うことができる。
【００１３】
本発明の一側面の撮影方法は、所定のシーンの本番用の撮影である本番撮影の前に、そのシーンの下見用の撮影である下見撮影を行う撮影装置の撮影方法において、撮影に関する設定データを用いて、前記下見撮影を行い、前記下見撮影の結果得られた映像データと、その下見撮影に用いられた設定データである下見設定データとを、前記本番撮影に用いる設定データである本番設定データとして推奨される本番推奨設定データを決定する情報処理装置に送信し、前記情報処理装置により、前記下見設定データに基づいて決定された前記本番推奨設定データを、前記情報処理装置から取得するステップを含む。
【００１４】
本発明の一側面のプログラムは、所定のシーンの本番用の撮影である本番撮影の前に、そのシーンの下見用の撮影である下見撮影を行う処理を、コンピュータに実行させるプログラムにおいて、撮影に関する設定データを用いて、前記下見撮影を行い、前記下見撮影の結果得られた映像データと、その下見撮影に用いられた設定データである下見設定データとを、前記本番撮影に用いる設定データである本番設定データとして推奨される本番推奨設定データを決定する情報処理装置に送信し、前記情報処理装置により、前記下見設定データに基づいて決定された前記本番推奨設定データを、前記情報処理装置から取得するステップを含む。
【００１５】
本発明の一側面においては、撮影に関する設定データを用いて、下見撮影が行われ、前記下見撮影の結果得られた映像データと、その下見撮影に用いられた設定データである下見設定データとが、本番撮影に用いる設定データである本番設定データとして推奨される本番推奨設定データを決定する情報処理装置に送信され、前記情報処理装置により、前記下見設定データに基づいて決定された前記本番推奨設定データが、前記情報処理装置から取得される。
【発明の効果】
【００１６】
以上のように、本発明の一側面によれば、離れた位置に存在する人物の意図した撮影を確実に行うことができる。
【発明を実施するための最良の形態】
【００１７】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１８】
本発明の一側面の撮影装置は、
所定のシーンの本番用の撮影である本番撮影の前に、そのシーンの下見用の撮影である下見撮影を行う撮影装置(例えば、図７のカムコーダ２０)において、
撮影に関する設定データを用いて、前記下見撮影を行う撮影手段(例えば、図７の撮影部３０４)と、
前記撮影手段による下見撮影の結果得られた映像データと、その下見撮影に用いられた設定データである下見設定データとを、前記本番撮影に用いる設定データである本番設定データとして推奨される本番推奨設定データを決定する情報処理装置(例えば、図１の素材利用装置２９)に送信する送信手段（例えば、図７の送信部３０７）と、
前記情報処理装置により、前記下見設定データに基づいて決定された前記本番推奨設定データを、前記情報処理装置から取得する取得手段(例えば、図７の取得部３０１)と
を備える。
【００１９】
本発明の一側面の撮影装置は、
前記送信手段は、前記下見撮影の結果得られた映像データと、その下見撮影に用いられた下見設定データとを、前記シーンごとに、前記情報処理装置に送信し（例えば、図１５のステップＳ６６の処理）、
前記取得手段は、前記下見設定データに基づいて決定された、その下見設定データに対応するシーンの本番推奨設定データを、前記情報処理装置から取得する(例えば、図１４のステップＳ４２の処理)。
【００２０】
本発明の一側面の撮影装置は、
前記本番推奨設定データを変更する変更手段（例えば、図７の設定部３０３）
をさらに備え、
前記撮影手段は、前記変更手段により変更された本番推奨設定データを、前記本番設定データとして用いて、前記本番撮影を行い(例えば、図１５のステップＳ６４と同様の処理)、
前記送信手段は、前記本番設定データを、前記情報処理装置に送信する(例えば、図１５のステップＳ６６と同様の処理)。
【００２１】
本発明の一側面の撮影装置は、
前記下見設定データとして推奨される設定データである下見推奨設定データを変更する変更手段（例えば、図７の設定部３０３）
をさらに備え、
前記取得手段はまた、前記下見推奨設定データを取得し(例えば、図１４のステップＳ４２の処理)、
前記撮影手段は、前記変更手段により変更された下見推奨設定データを用いて、前記下見撮影を行う（例えば、図１５のステップＳ６４の処理）。
【００２２】
本発明の一側面の撮影方法は、
所定のシーンの本番用の撮影である本番撮影の前に、そのシーンの下見用の撮影である下見撮影を行う撮影装置(例えば、図７のカムコーダ２０)の撮影方法において、
撮影に関する設定データを用いて、前記下見撮影を行い(例えば、図１５のステップＳ６４)、
前記下見撮影の結果得られた映像データと、その下見撮影に用いられた設定データである下見設定データとを、前記本番撮影に用いる設定データである本番設定データとして推奨される本番推奨設定データを決定する情報処理装置(例えば、図１の素材利用装置２９)に送信し(例えば、図１５のステップＳ６６)、
前記情報処理装置により、前記下見設定データに基づいて決定された前記本番推奨設定データを、前記情報処理装置から取得する（例えば、図１４のステップＳ４２）ステップを含む。
【００２３】
以下、本発明を適用した具体的な実施の形態について、図面を参照しながら詳細に説明する。
【００２４】
図１は、本発明を適用したネットワークシステム１の構成例を表している。
【００２５】
図１のネットワークシステム１は、例えば、テレビジョン番組等の制作に用いられる番組制作支援システムである。テレビジョン番組の制作の工程は、基本的に、企画（構成）、収録、編集（制作）に分類される。企画（構成）は、テレビジョン番組の制作全体を統括する工程であり、制作するテレビジョン番組の企画および構想を行って、テレビジョン番組のシナリオ（筋書き）を作成する工程である。
【００２６】
収録は、例えば、制作指示やシナリオにしたがって、制作現場で実際に収録を行う工程であり、テレビジョン番組を構成する各シーンの映像データや音声データ等の素材データとともに、撮影(音声の取得も含む)状況を収録する工程である。編集は、制作指示やシナリオ等に基づいて、収録により得られた素材データを編集したり、収録により得られた素材データ、または編集後の素材データに、収録で得ていない他の情報（CG/SI（Computer Graphics/SuperImpose）、ナレーション、または資料映像や音楽等）を付加したりして、テレビジョン番組として完成された素材データであるカンパケを作成する。
【００２７】
図１のネットワークシステム１は、このような各工程における作業を支援する番組制作支援システムである。ネットワークシステム１は、カムコーダ２１と２２、アクセスポイント２３と２４、サーバ２５と２６、ファイアウォール２７、素材サーバ２８、素材利用装置２９、カンパケサーバ３０、ネットワーク３１、およびイントラネット３２から構成される。
【００２８】
カムコーダ２１と２２は、テレビジョン番組であるニュース番組、スポーツ等の試合の模様、映画などの映像作品の収録に使用される装置である。カムコーダ２１と２２は、素材利用装置２９からネットワーク３１を介して送信されてくる構成表（後述する図２）に基づいて、映像作品の所定のカットの本番用の撮影である本番撮影の前に、そのカットの下見用の撮影である下見撮影を行う。
【００２９】
カムコーダ２１と２２は、その下見撮影の結果得られる素材データと、下見撮影時に用いられた撮影に関する設定データ（以下、撮影設定データという）を、例えば磁気ディスク、DVD（Digital Versatile Disc）などの光ディスク、光磁気ディスク、メモリカード、着脱式ハードディスクドライブなどのリムーバブルメディア３３などに収録する。
【００３０】
なお、以下では、撮影設定データは、マスタゲインＧｍ、赤（Ｒ）、緑（Ｇ）、青（Ｂ）それぞれのホワイトバランスＷｒ，Ｗｇ，Ｗｂ、リニアマトリクスにおける演算で用いられる９個の係数ａij（ｉ=1,2,3,ｊ=1,2,3）、階調として設定される値（以下、階調設定値という）を決定するための２種類の係数ｂnとｃn（n=1,2,・・・）、および黒レベルＢを表すデータにより構成されるものとするが、撮影設定データは、これに限定されず、撮影において用いられる撮影に関する設定データであれば、どのようなものであってもよい。
【００３１】
また、カムコーダ２１と２２は、下見撮影時に用いられた撮影設定データ（以下、下見使用撮影設定データという）に基づいて更新され、素材利用装置２９から送信されてくる構成表に基づいて本番撮影を行い、その本番撮影の結果得られる素材データと本番撮影時に用いられた撮影設定データ（以下、本番使用撮影設定データという）を、リムーバブルメディア３３などに収録する。
【００３２】
さらに、カムコーダ２１と２２は、無線を介してアクセスポイント２３または２４と接続し、アクセスポイント２３と２４と接続されるインターネットなどのネットワーク３１を介して素材データと、その素材データの取得時に用いられた撮影設定データとを、素材利用装置２９等の他の装置に送信する。
【００３３】
また、カムコーダ２１と２２は、ユーザの入力に基づいて、収録に関する情報等のように、例えば後段の編集処理時に有用となる情報等を生成し、カムコーダ２１と２２において得られた素材データにメタデータとして関連付ける。
【００３４】
カムコーダ２１と２２には、アクセスポイント２３または２４とネットワーク３１を介して、サーバ２５と２６が接続される。サーバ２５と２６には、カムコーダ２１と２２により取得された素材データが、必要に応じて供給されて記録される。
【００３５】
イントラネット３２は、ファイアウォール２７を介してネットワーク３１と接続されており、ファイアウォール２７は、ネットワーク３１からイントラネット３２への不正なアクセスを禁止する。
【００３６】
イントラネット３２にはまた、素材サーバ２８、素材利用装置２９、およびカンパケサーバ３０が接続されている。
【００３７】
素材サーバ２８は、素材利用装置２９からイントラネット３２を介して供給される素材データを蓄積する。素材利用装置２９は、ユーザの指令に基づいて構成表を作成し、記録する。また、素材利用装置２９は、記録されている構成表を読み出し、イントラネット３２、ファイアウォール２７、ネットワーク３１、およびアクセスポイント２３または２４を介して、その構成表をカムコーダ２１または２２に送信する。
【００３８】
さらに、素材利用装置２９は、カムコーダ２１と２２から、アクセスポイント２３または２４、ネットワーク３１、ファイアウォール２７、およびイントラネット３２を介して送信されてくる素材データを記録する。また、素材利用装置２９は、記録している素材データを素材サーバ２８に供給する。
【００３９】
さらに、素材利用装置２９は、カムコーダ２１と２２から送信されてくる撮影設定データに基づいて、構成表を更新する。また、素材利用装置２９は、自分自身が記憶している素材データまたは素材サーバ２８に蓄積されている素材データを読み出し、カンパケを作成する。そして、素材利用装置２９は、そのカンパケを、イントラネット３２を介してカンパケサーバ３０に供給する。カンパケサーバ３０は、素材利用装置２９から供給されるカンパケを蓄積する。
【００４０】
なお、以下では、カムコーダ２１と２２を区別する必要がない場合、それらをまとめてカムコーダ２０という。また、アクセスポイント２３と２４を区別する必要がない場合、それらをまとめてアクセスポイント３４という。
【００４１】
次に、図２を参照して構成表について説明する。
【００４２】
図２の構成表は、映像製作に必要な項目として設けられた「シーン」、「カット」、「下見テイク」、「本番テイク」、・・・、「下見撮影設定データ」、「本番撮影カメラ設定データ」という、複数の小項目から構成される大項目と、その大項目に対応する各種の情報とが記述された表である。
【００４３】
大項目「シーン」は、小項目「シーン番号」と「シーンタイトル」により構成されている。小項目「シーン番号」に対応する情報は、映像作品を構成する各シーンに付与された番号であり、小項目「シーンタイトル」に対応する情報は、各シーンのタイトルである。
【００４４】
大項目「カット」は、小項目「カット番号」と「カットタイトル」により構成されている。小項目「カット番号」に対応する情報は、シーンを構成する各カットに付与された番号であり、小項目「カットタイトル」に対応する情報は、シーンを構成する各カットに付与されたタイトルである。
【００４５】
大項目「下見テイク」は、小項目「テイク番号」、「テイクメモ」、「OK/NG」」、および「データ」により構成されている。小項目「テイク番号」に対応する情報は、カットの下見撮影時のテイクごとに付与された番号であり、項目「テイクメモ」に対応する情報は、下見撮影時のテイクに関する情報である。
【００４６】
また、小項目「OK/NG」に対応する情報は、下見撮影時のテイクの評価を表す「OK」または「NG」である。例えば、評価が最も高いテイクの小項目「OK/NG」に対応する情報は「OK」となり、その他のテイクの小項目「OK/NG」に対応する情報は「NG」となる。さらに、小項目「データ」に対応する情報は、下見撮影時のテイクの素材データが記録されるアドレスや素材データの素材ＩＤである。なお、素材ＩＤとしては、例えば、各素材データをグローバルユニークに識別するための素材データに固有の識別子であって、SMPTE（Society of Motion Picture and Television Engineers）により定められる識別子であるUMID（Unique Material IDentifier）が用いられる。
【００４７】
大項目「本番テイク」は、大項目「下見テイク」と同様に、小項目「テイク番号」、「テイクメモ」、「OK/NG」、および「データ」により構成されている。小項目「テイク番号」に対応する情報は、カットの本番撮影時のテイクごとに付与された番号であり、小項目「テイクメモ」に対応する情報は、本番撮影時のテイクに関する情報である。
【００４８】
また、小項目「OK/NG」に対応する情報は、本番撮影時のテイクの評価を表す「OK」または「NG」である。さらに、小項目「データ」に対応する情報は、本番撮影時のテイクの素材データが記録されるアドレスや素材データに固有の素材ＩＤである。
【００４９】
大項目「下見撮影設定データ」は、小項目「推奨」と「使用」により構成されている。小項目「推奨」に対応する情報は、下見撮影時の撮影設定データとして推奨される撮影設定データ(以下、下見推奨撮影設定データという)であり、小項目「使用」に対応する情報は、下見使用撮影設定データである。
【００５０】
大項目「本番撮影設定データ」は、大項目「下見撮影設定データ」と同様に、小項目「推奨」と「使用」により構成されている。小項目「推奨」に対応する情報は、本番撮影時の撮影設定データとして推奨される撮影設定データ(以下、本番推奨撮影設定データという)であり、小項目「使用」に対応する情報は、本番使用撮影設定データである。
【００５１】
以上のように、図２の構成表には、映像作品の内容を分割したシーンやカットの構成、シーンやカットのタイトルと説明、撮影設定データ、その他の付随する情報が、表形式で記述される。即ち、構成表は、いわゆる絵コンテのようなものであるが、映像作品の製作に必要な各種の情報を含んでいる。
【００５２】
次に、図３を参照して、図１のネットワークシステム１において、映像作品の下見撮影を行うときの各工程の作業者のワークフローである下見撮影作業について説明する。
【００５３】
ステップＳ１において、企画の工程の作業者である企画者は、素材利用装置２９を用いて図２の構成表を作成し、素材利用装置２９に記録させる。
【００５４】
ステップＳ１の処理後は、ステップＳ２に進み、映像作品の下見撮影を行う下見撮影者は、カムコーダ２０を用いて、ステップＳ１で作成された構成表を、ネットワーク３１を介して、素材利用装置２９から取得する。
【００５５】
ステップＳ２の処理後は、ステップＳ３に進み、下見撮影者は、構成表を構成する情報のうち、いま下見撮影対象とするカットに対応する大項目「下見撮影設定データ」の小項目「推奨」に対応する情報である下見推奨撮影設定データに基づいて下見撮影を行い、その下見撮影結果として、下見撮影対象のカットの素材データを得る。
【００５６】
ステップＳ３の処理後は、ステップＳ４に進み、下見撮影者は、カムコーダ２０を用いて、下見撮影結果と下見撮影時の撮影設定データを素材利用装置２９に送信させるとともに、撮影結果に固有のＩＤ（以下、撮影ＩＤという）を素材利用装置２９に送信させる。
【００５７】
ここで、撮影ＩＤとは、例えば、撮影対象であるカットが含まれるシーンのシーン番号と、そのカットのカット番号とを合わせて、下見撮影または本番撮影を表す情報を付加した情報である。例えば、シーン番号が「１」であり、カット番号が「２」であるカットの下見撮影が行われた場合、撮影ＩＤとして「下見１２」が送信される。
【００５８】
このように、下見撮影結果とともに、撮影ＩＤが送信されることにより、素材利用装置２９側は、下見撮影結果と、構成表に記述される小項目「カット番号」に対応する情報である番号との対応を認識することができる。
【００５９】
ステップＳ５において、企画者は、ステップＳ４でカムコーダ２０から送信されてくる下見撮影結果を、素材利用装置２９に記録させるとともに、素材利用装置２９に記録されている構成表内の、その下見撮影結果とともに送信されてくる撮影ＩＤに対応する、大項目「下見撮影設定データ」の小項目「使用」に対応する情報である下見使用撮影設定データとして、カムコーダ２０から送信されてくる下見撮影時の撮影設定データを記録させ、処理を終了する。
【００６０】
次に、図４を参照して、図１のネットワークシステム１において、映像作品の本番撮影を行うときの各工程の作業者のワークフローである本番撮影作業について説明する。
【００６１】
ステップＳ２１において、企画者は、図３のステップＳ５で記録させた下見撮影結果に対応する映像を、素材利用装置２９に表示させ、その映像の明るさ、色合い、コントラストなどを肉眼で確認して、ステップＳ２２に進む。ステップＳ２２において、企画者は、
明るさ、色合いなどを表す値の変更量を素材利用装置２９に入力し、その変更量に基づいて変更された撮影設定データを用いて撮影された結果得られる映像データに近似する映像データに対応する映像を表示させる。
【００６２】
そして、企画者は、その映像を見ながら、その映像が自分の意図する映像に近づくように、素材利用装置２９に変更量を入力する。
【００６３】
ステップＳ２２の処理後は、ステップＳ２３に進み、企画者は、自分の意図する映像に最も近い映像が素材利用装置２９に表示されたときに決定の指令を行うことにより、そのとき入力されている変更量に基づいて変更された撮影設定データを、構成表の、ステップＳ２１で表示された映像に対応するカット番号に対応し、大項目「本番撮影設定データ」の小項目「推奨」に対応する情報である本番推奨撮影設定データとして、素材利用装置２９に記録させる。
【００６４】
即ち、企画者は、構成表のステップＳ２１で表示された映像に対応するカット番号に対応し、大項目「本番撮影設定データ」の小項目「推奨」に対応する欄に、変更後の撮影設定データを記入させる。
【００６５】
ステップＳ２３の処理後は、ステップＳ２４に進み、企画者は、素材利用装置２９を用いて、ステップＳ２３で本番推奨撮影設定データが記入された構成表を、ネットワーク３１を介して、カムコーダ２０に送信させる。
【００６６】
ステップＳ２４の処理後は、ステップＳ２５に進み、本番撮影を行う本番撮影者は、カムコーダ２０を用いて、ステップＳ２４で送信された構成表に基づいて本番撮影を行う。即ち、本番撮影者は、構成表の本番推奨撮影設定データに基づいて撮影設定データを設定し、本番撮影を行う。そして、本番撮影者は、その本番撮影結果として、下見撮影結果に対応するカットと同一のカットの素材データを得る。
【００６７】
このように、同一のカットの下見撮影結果に基づいて、企画者が自分の意図した映像に最も近い映像が得られるように変更した本番推奨撮影設定データが記入された構成表が、素材利用装置２９から送信されてくるので、本番撮影者は、その本番推奨撮影設定データに基づいて撮影設定データを設定し、本番撮影を行うことにより、企画者の意図した映像に最も近い映像の素材データを、本番撮影結果として容易に得ることができる。
【００６８】
ステップＳ２６において、本番撮影者は、カムコーダ２０を用いて、本番撮影結果と本番撮影時の撮影設定データを、その本番撮影結果の撮影ＩＤとともに、素材利用装置２９に送信させる。
【００６９】
ステップＳ２６の処理後は、ステップＳ２７に進み、企画者は、ステップＳ２６で送信されてくる本番撮影結果を、素材利用装置２９に記録させるとともに、素材利用装置２９に記録されている構成表内の、その本番撮影結果とともに送信されてくる撮影ＩＤに対応する、大項目「本番撮影設定データ」の小項目「使用」に対応する情報である本番使用撮影設定データとして、カムコーダ２０から送信されてくる本番撮影時の撮影設定データを記録させ、処理を終了する。
【００７０】
図５は、カムコーダ２０のハードウェア構成例を表している。
【００７１】
図５において、CPU（Central Processing Unit）７１は、ROM（Read Only Memory）７２に記憶されているプログラム、またはRAM（Random Access Memory）７３にロードされたプログラムにしたがって各種の処理を実行する。RAM７３にはまた、CPU７１が各種の処理を実行する上において必要なデータなども適宜記憶される。
【００７２】
CPU７１、ROM７２、およびRAM７３は、バス７４を介して相互に接続されている。このバス７４にはまた、入出力インターフェース７５も接続されている。
【００７３】
入出力インターフェース７５にはまた、十字キー、決定ボタン、メニューボタン等の各種のボタン、スイッチなどよりなる入力部７６、LCD(Liquid Crystal Display)７７、スピーカ７８、CCD（Charge Coupled Device）撮像素子などより構成される撮影部７９、音声信号を取り込むマイクロホン８０、並びに、アクセスポイント３４を介して無線通信を行う通信部８１が接続されている。
【００７４】
記録部８２は、例えばハードディスクからなり、撮影部７９で撮影された結果得られる映像データ、マイクロホン８０により収音された音声データ等を、素材データとして記録する。また、記録部８２は、既に記録されている素材データを再生し、素材データのうちの映像データをLCD７７に出力することにより、その映像データに対応する映像を表示させ、音声データをスピーカ７８に供給することにより、その音声データに対応する音声を出力させる。
【００７５】
エンコーダ/デコーダ８３は、映像データをMPEG（Moving Picture Experts Group）またはJPEG（Joint Photographic Coding Experts Group）の方式で、エンコードまたはデコードする。
【００７６】
入出力インターフェース７５に接続されているドライブ８４は、リムーバブルメディア３３が装着されたとき、それらを駆動し、そこに記録されているプログラムやデータなどを取得する。取得されたプログラムやデータは、必要に応じて記録部８２に転送され、記録される。
【００７７】
また、ドライブ８４は、撮影部７９で撮影された結果得られる映像データ、マイクロホン８０により収音された音声データ等を、素材データとしてリムーバブルメディア３３に記録する。
【００７８】
図６は、図１の素材利用装置２９のハードウェア構成例を示すブロック図である。
【００７９】
CPU２０１は、ROM２０２、または記録部２０８に記録されているプログラムにしたがって各種の処理を実行する。RAM２０３には、CPU２０１が実行するプログラムやデータなどが適宜記憶される。これらのCPU２０１、ROM２０２、およびRAM２０３は、バス２０４により相互に接続されている。
【００８０】
CPU２０１にはまた、バス２０４を介して入出力インターフェース２０５が接続されている。入出力インターフェース２０５には、キーボード、マウス、マイクロホン、図示せぬリモートコントローラから送信されてくる指令を受信する受信部などよりなる入力部２０６、ディスプレイ、スピーカなどよりなる出力部２０７が接続されている。CPU２０１は、入力部２０６から入力される指令に対応して各種の処理を実行する。そして、CPU２０１は、処理の結果を出力部２０７に出力する。例えば、CPU２０１は、各種の画面を表示させるための映像データを作成し、出力部２０７に表示させる。
【００８１】
入出力インターフェース２０５に接続されている記録部２０８は、例えばハードディスクからなり、CPU２０１が実行するプログラムや各種のデータを記録する。通信部２０９は、イントラネット３２を介して外部の装置と通信する。また、通信部２０９は、イントラネット３２を介してプログラムを取得し、記録部２０８に記録してもよい。
【００８２】
入出力インターフェース２０５に接続されているドライブ２１０は、磁気ディスク、光ディスク、光磁気ディスク、或いは半導体メモリなどのリムーバブルメディア２２１が装着されたとき、それらを駆動し、そこに記録されているプログラムやデータなどを取得する。取得されたプログラムやデータは、必要に応じて記録部２０８に転送され、記録される。
【００８３】
図７は、カムコーダ２０の機能的構成例を示すブロック図である。
【００８４】
図７のカムコーダ２０は、取得部３０１、表示部３０２、設定部３０３、撮影部３０４、入力部３０５、記録部３０６、および送信部３０７により構成される。なお、取得部３０１と送信部３０７は、例えば、図５の通信部８１に対応しており、表示部３０２は、例えばLCD７７に対応している。また、設定部３０３と入力部３０５は、例えばCPU７１に対応しており、撮影部３０４は、例えば、撮影部７９に対応している。さらに、記録部３０６は、例えば、記録部８２に対応している。
【００８５】
取得部３０１は、入力部３０５からの指令に応じて、素材利用装置２９に構成表の取得を要求し、その要求に応じて素材利用装置２９から送信されてくる構成表を取得する。取得部３０１は、その構成表に基づいて、撮影設定データに関する各種の画面などを表示させるための映像データを作成し、表示部３０２に供給する。
【００８６】
表示部３０２は、取得部３０１からの映像データに基づいて、撮影設定データに関する各種の画面を表示させる。
【００８７】
設定部３０３は、入力部３０５からの指令に基づいて、取得部３０１により取得された構成表に含まれる撮影設定データのうち、ユーザにより設定が指令された撮影設定データを抽出し、その撮影設定データを撮影部３０４による撮影に用いられる撮影設定データを設定する。また、設定部３０３は、入力部３０５からの指令に基づいて、設定されている撮影設定データを変更する。設定部３０３は、設定されている撮影設定データを撮影部３０４に供給する。
【００８８】
撮影部３０４は、入力部３０５からの指令に応じて、設定部３０３からの撮影設定データを用いて撮影を行い、その結果得られる所定のカットの素材データと、設定部３０３からの撮影設定データとを、その素材データに対応する撮影ＩＤとともに、記録部３０６に供給する。入力部３０５は、ユーザが図５の入力部７６を操作することにより行う指令を受け付け、その指令に応じて、取得部３０１、設定部３０３、または撮影部３０４に指令する。
【００８９】
具体的には、例えば、入力部３０５は、ユーザからの撮影設定データに関する各種の画面の表示の指令を受け付け、その指令に応じて、その画面の表示を取得部３０１に指令する。また、入力部３０５は、ユーザからの撮影設定データの設定の指令を受け付け、その指令に応じて、その撮影設定データの設定を設定部３０３に指令する。
【００９０】
さらに、入力部３０５は、ユーザからの撮影設定データの変更の指令を受け付け、その指令に応じて、いま設定されている撮影設定データの変更を設定部３０３に指令する。また、入力部３０５は、ユーザからの撮影の指令を受け付け、その指令に応じて、撮影部３０４に撮影を指令する。
【００９１】
記録部３０６は、撮影部３０４からの撮影ＩＤに対応付けて、素材データと撮影設定データとを記録する。また、記録部３０６は、既に撮影ＩＤに対応付けて記録されている素材データと撮影設定データを、対応する撮影ＩＤとともに読み出し、その撮影ＩＤ、素材データ、および撮影設定データを送信部３０７に供給する。送信部３０７は、記録部３０６からの撮影ＩＤ、素材データ、および撮影設定データを、素材利用装置２９に送信する。
【００９２】
次に、図８乃至図１０を参照して、表示部３０２に表示される、撮影設定データに関する各種の画面の例について説明する。
【００９３】
図８は、構成表に含まれる下見推奨撮影設定データまたは下見使用撮影設定データを表示させるための画面３２０の例を示している。なお、図８では、下見推奨撮影設定データまたは下見使用撮影設定データを表示させるための画面３２０について説明するが、本番推奨撮影設定データまたは本番使用撮影設定データを表示させるための画面も同様に構成される。
【００９４】
図８の画面３２０は、表３２１、上方向ボタン３２２Ａと下方向ボタン３２２Ｂ、左方向ボタン３２３Ａと右方向ボタン３２３Ｂ、実行ボタン３２４、および終了ボタン３２５により構成される。
【００９５】
表３２１には、小項目「シーン番号」と「シーンタイトル」からなる大項目「シーン」、小項目「カット番号」と「カットタイトル」からなる大項目「カット」、小項目「テイク番号」からなる大項目「下見テイク」、および小項目「推奨」と「使用」とからなる大項目「撮影設定データ」と、それに対応する情報が記述されている。
【００９６】
小項目「シーン番号」と「シーンタイトル」、小項目「カット番号」と「カットタイトル」、小項目「テイク番号」に対応する情報は、それぞれ、図２の構成表の小項目「シーン番号」と「シーンタイトル」、小項目「カット番号」と「カットタイトル」、大項目「下見テイク」を構成する小項目「テイク番号」に対応する情報である。なお、小項目「推奨」と「使用」に対応する情報としては、すべて「表示」が記述される。
【００９７】
上方向ボタン３２２Ａは、表３２１上に設けられるカーソル３３１を上方向に移動させるときに、ユーザが図５の入力部７６を操作することにより操作される。下方向ボタン３２２Ｂは、カーソル３３１を下方向に移動させるときに、ユーザにより操作される。
【００９８】
左方向ボタン３２３Ａは、小項目「推奨」と「使用」に対応するカーソル３３１内に表示される情報である２個の「表示」のうちのいずれか一方を選択するための選択領域３３２を左方向に移動させるときに、ユーザにより操作される。右方向ボタン３２３Ｂは、選択領域３３２を右方向に移動させるときに、ユーザにより操作される。
【００９９】
実行ボタン３２４は、選択領域３３２により選択された情報である「表示」に対応する撮影設定データを表示させるときに、ユーザにより操作される。終了ボタン３２５は、画面３２０の表示を終了させるときに、ユーザにより操作される。
【０１００】
図８の例では、カーソル３３１が、小項目「シーン番号」に対応する情報である「１」、それに対応する小項目「シーンタイトル」に対応する情報、小項目「カット番号」に対応する情報である「１」、それに対応する小項目「カットタイトル」に対応する情報、小項目「テイク番号」に対応する情報である「２」、および、それに対応する小項目「推奨」と「使用」に対応する情報である「表示」を囲うように、表３２１上に設けられている。
【０１０１】
また、図８の例では、選択領域３３２が、小項目「推奨」に対応するカーソル３３１内に表示される情報である「表示」を選択するように設けられている。
【０１０２】
この場合、ユーザにより実行ボタン３２４が操作されると、図９に示す画面３４０が表示部３０２に表示される。
【０１０３】
図９の画面３４０は、情報表示部３４１、設定実行ボタン３４２、および終了ボタン３４３により構成される。
【０１０４】
情報表示部３４１には、選択領域３３２に対応する、図２の構成表の大項目「下見撮影設定データ」の小項目「推奨」に対応する情報である下見推奨撮影設定データが、項目ごとに表示される。具体的には、情報表示部３４１には、撮影設定データの種類を表す項目「マスタゲイン」、「ホワイトバランス」、「リニアマトリクス」、「階調」、「黒レベル」に対応付けて、撮影設定データのうちのマスタゲインＧｍ、ホワイトバランスＷｒ,Ｗｇ,Ｗｂ、９個の係数ａij、係数ｂnとｃn、黒レベルＢを表すデータが表示される。
【０１０５】
なお、図９の例では、説明の便宜上、マスタゲインＧｍ、ホワイトバランスＷｒ,Ｗｇ,Ｗｂ、９個の係数ａij、係数ｂnとｃn、黒レベルＢを表すデータを、アルファベットで表現しているが、これらのデータは、実際は数値である。このことは、後述する図６においても同様である。
【０１０６】
また、構成表に選択領域３３２に対応する下見推奨撮影設定データが記述されていない場合、情報表示部３４１には、項目に対応する情報として何も表示されない。
【０１０７】
設定実行ボタン３４２は、情報表示部３４１に表示されている下見推奨撮影設定データを、下見撮影に用いる撮影設定データとして設定するときに、ユーザにより操作される。終了ボタン３４３は、画面３４０の表示を終了するときに、ユーザにより操作される。
【０１０８】
また、図８の画面３２０において、ユーザが、選択領域３３２を、小項目「使用」に対応するカーソル３３１内に表示される情報である「表示」に移動させ、実行ボタン３２４を操作した場合、図１０の画面３６０が表示部３０２に表示される。
【０１０９】
図１０の画面３６０は、情報表示部３６１と終了ボタン３６２により構成される。
【０１１０】
情報表示部３６１には、選択領域３３２に対応する図２の構成表の大項目「下見撮影設定データ」の小項目「使用」に対応する情報である下見使用撮影設定データが、情報表示部３４１と同様に項目ごとに表示される。なお、構成表に選択領域３３２に対応する下見使用撮影設定データが記述されていない場合、即ちまだ下見撮影が行われていない場合、情報表示部３６１には、項目に対応する情報として何も表示されない。終了ボタン３６２は、画面３６０の表示を終了するときに、ユーザにより操作される。
【０１１１】
図１１は、素材利用装置２９の機能的構成例を示すブロック図である。
【０１１２】
図１１の素材利用装置２９は、受信部３８１、記録制御部３８２、記録部３８３、再生部３８４、設定データ変更部３８５、表示部３８６、入力部３８７、構成表作成部３８８、および送信部３８９により構成される。
【０１１３】
なお、受信部３８１と送信部３８９は、例えば図６の通信部２０９に対応しており、記録制御部３８２、再生部３８４、設定データ変更部３８５、入力部３８７、および構成表作成部３８８は、例えばCPU２０１に対応している。また、記録部３８３は、例えば記録部２０８に対応しており、表示部３８６は、例えば出力部２０７に対応している。
【０１１４】
受信部３８１は、カムコーダ２０の送信部３０７(図７)から送信されてくる、撮影ＩＤ、素材データ、および撮影設定データを受信し、素材データを記録制御部３８２に供給するとともに、撮影ＩＤと撮影設定データを構成表作成部３８８に供給する。また、受信部３８１は、カムコーダ２０の取得部３０１から送信されてくる、構成表の取得の要求を受信し、送信部３８９に供給する。
【０１１５】
記録制御部３８２は、受信部３８１からの素材データを、記録部３８３の所定のアドレスに記録させ、そのアドレスを構成表作成部３８８に供給する。また、記録制御部３８２は、構成表作成部３８８から供給される構成表を記録部３８３に記録させたり、構成表作成部３８８の制御により、記録部３８３に記録されている構成表を更新する。
【０１１６】
再生部３８４は、入力部３８７からの指令に応じて、再生対象とする下見テイクの素材データに対応するアドレスを、記録部３８３に記憶されている構成表から検出する。そして、再生部３８４は、その検出したアドレスに対応付けて記録されている下見テイクの素材データと、対応する下見使用撮影設定データとを再生し、設定データ変更部３８５に供給する。
【０１１７】
設定データ変更部３８５は、再生部３８４からの素材データと、入力部３８７から入力される、明るさ、ホワイトバランス、色合い、階調、または黒レベルを表す値の変更量とに基づいて、その変更量に応じて変更された撮影設定データを用いて撮影された結果得られる映像データに近似する映像データを生成し、表示部３８６に供給して、その映像データに対応する映像を表示部３８６に表示させる。
【０１１８】
また、設定データ変更部３８５は、入力部３８７からの指令と、再生部３８４からの下見使用撮影設定データとに基づいて、いま表示部３８６に表示されている映像に対応する映像データに対応する撮影設定データを求め、構成表作成部３８８に供給する。なお、設定データ変更部３８５の詳細は、図１２で後述する。
【０１１９】
入力部３８７は、ユーザが図６の入力部２０６を操作することにより行う入力を受け付け、その入力に応じて再生部３８４に指令を行ったり、設定データ変更部３８５と構成表作成部３８８に情報を入力する。
【０１２０】
具体的には、入力部３８７は、例えば、ユーザからの再生対象とする下見テイクのテイク番号の入力を受け付け、その入力に応じて、再生部３８４に、その再生対象の再生を指令する。また、入力部３８７は、ユーザからの明るさ、ホワイトバランス、色合い、階調、または黒レベルを表す値の変更量の入力を受け付け、その入力に応じて、設定データ変更部３８５に、その変更量を情報として供給する。
【０１２１】
さらに、入力部３８７は、ユーザからのシーン番号、シーンタイトル、カット番号、カットタイトル、テイク番号、テイクに関する情報、テイクの評価を表す情報、下見推奨撮影設定データなどの入力を受け付け、その入力に応じて、それらの情報として設定データ変更部３８５に供給する。
【０１２２】
なお、ここでは、テイク番号は、ユーザにより入力されるものとしたが、構成表作成部３８８が、カットごとに、テイクに対して撮影順に１から順にテイク番号を付与し、そのテイク番号を構成表に記述するようにしてもよい。また、テイク番号、テイクに関する情報、およびテイクの評価を表す情報は、メタデータとしてカムコーダ２０により生成され、素材データに関連付けられて、カムコーダ２０から送信されるようにしてもよい。
【０１２３】
構成表作成部３８８は、入力部３８７から供給される情報に応じて構成表を作成し、その構成表を記録制御部３８２に供給する。また、構成表作成部３８８は、受信部３８１からの撮影ＩＤと撮影設定データ、記録制御部３８２からのアドレス、設定データ変更部３８５からの撮影設定データ、または入力部３８７からの入力に基づいて、記録制御部３８２を制御し、記録部３８３に記録されている構成表を更新する。
【０１２４】
送信部３８９は、受信部３８１からの構成表の取得の要求に応じて、記録部３８３から構成表を再生する。送信部３８９は、その構成表を、カムコーダ２０の取得部３０１（図７）に送信する。
【０１２５】
図１２は、図１１の設定データ変更部３８５の詳細構成例を示すブロック図である。
【０１２６】
図１２の設定データ変更部３８５は、RGB係数計算部４０１、リニアマトリクス係数計算部４０２、階調関数計算部４０３、Ｒゲイン乗算部４０４、Ｇゲイン乗算部４０５、Ｂゲイン乗算部４０６、リニアマトリクス４０７、階調補正部４０８乃至４１０、黒レベル付与部４１１乃至４１３、マスタゲイン修正部４１４、ホワイトバランス修正部４１５、リニアマトリクス修正部４１６、階調設定値修正部４１７、および黒レベル修正部４１８により構成される。
【０１２７】
なお、図１２では、下見撮影を行うカムコーダ２０と、本番撮影を行うカムコーダ２０が、同一製造業者により製造され、その２つのカムコーダ２０で用いられる撮影設定データに互換性があるものとする。
【０１２８】
RGB係数計算部４０１には、図１１の入力部３８７から入力される変更量のうちの、明るさとホワイトバランスを表す値の変更量が入力される。RGB係数計算部４０１は、その変更量に応じて、Ｒゲイン乗算部４０４、Ｇゲイン乗算部４０５、およびＢゲイン乗算部４０６において用いられる係数をそれぞれ計算し、Ｒゲイン乗算部４０４、Ｇゲイン乗算部４０５、Ｂゲイン乗算部４０６にそれぞれ供給する。
【０１２９】
リニアマトリクス係数計算部４０２には、入力部３８７から入力される変更量のうちの、色合いを表す値の変更量が入力される。リニアマトリクス係数計算部４０２は、その変更量に応じて、リニアマトリクス４０７における演算で用いられる９個の係数を計算し、リニアマトリクス４０７に供給する。
【０１３０】
階調関数計算部４０３には、入力部３８７から入力される変更量のうちの、階調数を表す値の変更量が入力される。階調関数計算部４０３は、その変更量に応じた階調数の変更に伴って階調を変更するための関数を求める。階調関数計算部４０３は、その関数を階調補正部４０８乃至４１０に供給する。
【０１３１】
Ｒゲイン乗算部４０４には、再生部３８４から供給される下見テイクの映像データのうちのＲ信号が入力される。Ｒゲイン乗算部４０４は、RGB係数計算部４０１から供給される係数と、そのＲ信号を乗算し、その結果得られるＲ信号をリニアマトリクス４０７に供給する。
【０１３２】
Ｇゲイン乗算部４０５には、再生部３８４から供給される下見テイクの映像データのうちのＧ信号が入力される。Ｇゲイン乗算部４０５は、Ｒゲイン乗算部４０４と同様に、RGB係数計算部４０１から供給される係数と、そのＧ信号を乗算し、その結果得られるＧ信号をリニアマトリクス４０７に供給する。
【０１３３】
Ｂゲイン乗算部４０６には、再生部３８４から供給される下見テイクの映像データのうちのＢ信号が入力される。Ｂゲイン乗算部４０６は、Ｒゲイン乗算部４０４やＧゲイン乗算部４０５と同様に、RGB係数計算部４０１から供給される係数と、そのＢ信号を乗算し、その結果得られるＢ信号をリニアマトリクス４０７に供給する。
【０１３４】
リニアマトリクス４０７は、リニアマトリクス係数計算部４０２からの係数、Ｒゲイン乗算部４０４からのＲ信号、Ｇゲイン乗算部４０５からのＧ信号、およびＢゲイン乗算部４０６からのＢ信号に基づいて演算を行い、その結果得られるＲ信号、Ｇ信号、Ｂ信号を、それぞれ階調補正部４０８，４０９，４１０に供給する。
【０１３５】
階調補正部４０８乃至４１０は、リニアマトリクス４０７からのＲ信号、Ｇ信号、またはＢ信号を、階調関数計算部４０３からの関数を用いて変換する。これにより、Ｒ信号、Ｇ信号、またはＢ信号の階調数が変更される。階調補正部４０８乃至４１０は、変換後のＲ信号、Ｇ信号、Ｂ信号を、黒ラベル付与部４１１,４１２,４１３にそれぞれ供給する。
【０１３６】
黒レベル付与部４１１乃至４１３には、入力部３８７から供給される変更量のうちの、黒レベルを表す値の変更量が入力される。黒レベル付与部４１１乃至４１３は、その変更量に応じて、階調補正部４０８乃至４１０のそれぞれから供給されるＲ信号、Ｇ信号、Ｂ信号に対して黒レベルをそれぞれ付与し、表示部３８６に出力する。
【０１３７】
表示部３８６は、黒レベル付与部４１１乃至４１３からのＲ信号、Ｇ信号、およびＢ信号と黒レベルとに基づく映像、即ち再生部３８４から供給される下見テイクの映像が、入力部３８７から供給される変更量に応じて変更された映像を、入力部３８７からの変更量に基づいて変更された撮影設定データを用いて、再生部３８４からの下見テイクに対応するカットと同一のカットが撮影された場合に得られる映像データに近似する映像データに対応する映像(以下、近似映像という)として表示させる。
【０１３８】
マスタゲイン修正部４１４には、入力部３８７から供給される変更量のうちの明るさを表す値の変更量と、再生部３８４から供給される下見テイクの撮影設定データのうちのマスタゲインＧｍとが供給される。マスタゲイン修正部４１４は、明るさを表す値の変更量と、マスタゲインＧｍとに基づいて、以下の式（１）を計算することにより、新たなマスタゲインＧｍ´を得る。
【０１３９】
Ｇｍ´＝Ｇｍ×Ｍm
・・・（１）
【０１４０】
なお、式（１）において、付加量Ｍmは、明るさを表す値の変更量に対応する値である。
【０１４１】
マスタゲイン修正部４１４は、上述した式（１）により求められたマスタゲインＧｍ´を、再生対象である下見テイクに対応するカットの本番推奨撮影設定データのマスタゲインとして、構成表作成部３８８に供給する。
【０１４２】
ホワイトバランス修正部４１５には、入力部３８７から供給される変更量のうちのホワイトバランスを表す値の変更量と、再生部３８４から供給される下見テイクの撮影設定データのうちのホワイトバランスＷｒ，Ｗｇ，Ｗｂとが供給される。ホワイトバランス修正部４１５は、ホワイトバランスを表す値の変更量と、ホワイトバランスＷｒ，Ｗｇ，Ｗｂとに基づいて、以下の式（２）を計算することにより、新たなホワイトバランスＷｒ´，Ｗｇ´，Ｗｂ´を得る。
【０１４３】
Ｗｒ´＝Ｗｒ×Ｍr
Ｗｇ´＝Ｗｇ×Ｍg
Ｗｂ´＝Ｗｂ×Ｍb
・・・（２）
【０１４４】
なお、式（２）において、付加量Ｍr,Ｍg、およびＭbは、ホワイトバランスを表す値の変更量に対応する値である。
【０１４５】
ホワイトバランス修正部４１５は、上述した式（２）により求められたホワイトバランスＷｒ´，Ｗｇ´，Ｗｂ´を、再生対象である下見テイクに対応するカットの本番推奨撮影設定データのホワイトバランスとして、構成表作成部３８８に供給する。
【０１４６】
リニアマトリクス修正部４１６には、入力部３８７から供給される変更量のうちの色合いを表す値の変更量と、再生部３８４から供給される下見テイクの撮影設定データのうちのリニアマトリクス４０７で用いられる９個の係数ａijとが供給される。リニアマトリクス修正部４１６は、色合いを表す値の変更量と、係数ａijとに基づいて、以下の式（３）を計算することにより、新たな係数ａij´を得る。
【０１４７】
ａij´＝Ｍij×ａij
・・・（３）
【０１４８】
なお、式（３）において、付加量Ｍijは、色合いを表す値の変更量に対応する値である。
【０１４９】
リニアマトリクス修正部４１６は、上述した式（３）により求められた係数ａij´を、再生対象である下見テイクに対応するカットの本番推奨撮影設定データの、リニアマトリクスにおける演算で用いられる係数として、構成表作成部３８８に供給する。
【０１５０】
階調設定値修正部４１７には、入力部３８７から供給される変更量のうちの階調数を表す値の変更量と、再生部３８４から供給される下見テイクの撮影設定データのうちの階調を設定するための２種類の係数ｂnとｃnとが供給される。階調設定値修正部４１７は、階調数を表す値の変更量と、係数ｂnおよびｃnとに基づいて、以下の式（４）を計算することにより、新たな係数ｂn´とｃn´を得る。
【０１５１】
Ｙ´=Ｙ＋Ｍy
ここで、
Ｙ＝fr(x)＝ｂn×x＋ｃn(kn≦x≦kn+1)
Ｙ´＝fr(x)＝ｂn´×x＋ｃn´(kn≦x≦kn+1)
Ｍy＝fr(x)＝ｂｍn×x＋ｃｍn(kn≦x≦kn+1)
・・・（４）
である。
【０１５２】
式（４）において、ｘは信号値であり、Ｙは階調設定値である。また、ｋnは信号値を所定の区間に区切ったときの先頭からｎ区間目の開始値であり、ｋn+1はｎ＋１区間目の開始値である。さらに、係数ｂｍnとｃｍnは、階調数を表す値の変更量に対応する値である。
【０１５３】
なお、ｓ式（４）では、信号値から階調設定値への変換式を、区間ごとの１次式で近似しており、例えばｂn´が小さいほど階調数が多くなり、ｂn´が大きいほど階調数は少なくなる。
【０１５４】
階調設定値修正部４１７は、上述した式（４）により求められた係数ｂn´とｃn´を、再生対象である下見テイクに対応するカットの本番推奨撮影設定データの、階調設定値を決定するための係数ｂn´とｃn´として、構成表作成部３８８に供給する。
【０１５５】
黒レベル修正部４１８には、入力部３８７から供給される変更量のうちの黒レベルを表す値の変更量と、再生部３８４から供給される下見テイクの撮影設定データのうちの黒レベルＢとが供給される。黒レベル修正部４１８は、黒レベルを表す値の変更量と、黒レベルＢとに基づいて、以下の式（５）を計算することにより、新たな黒レベルＢ´を得る。
【０１５６】
Ｂ´＝Ｂ＋ＭB
・・・（５）
【０１５７】
なお、式（５）において、付加量ＭBは、黒レベルを表す値の変更量に対応する値である。
【０１５８】
黒レベル修正部４１８は、上述した式（５）により求められた黒レベルＢ´を、再生対象である下見テイクに対応するカットの本番推奨撮影設定データの黒レベルとして、構成表作成部３８８に供給する。
【０１５９】
以上のように、設定データ変更部３８５は、入力部３８７から供給される変更量に基づいて、再生部３８４から供給される下見テイクの撮影設定データを変更するので、カムコーダ２０は、変更後の撮影設定データを、本番撮影に用いる撮影設定データとして設定することにより、素材利用装置２９のユーザである企画者が意図した映像を得るために、的確な撮影設定データを設定することができる。その結果、カムコーダ２０は、企画者の所望の撮影を行うことができる。
【０１６０】
なお、図１２では、下見撮影を行うカムコーダ２０と、本番撮影を行うカムコーダ２０で用いられる撮影設定データに互換性があるものとして説明したが、下見撮影を行うカムコーダ２０と、本番撮影を行うカムコーダ２０が、異なる製造業者により製造され、その２つのカムコーダ２０で用いられる撮影設定データに互換性がない場合、マスタゲイン修正部４１４、ホワイトバランス修正部４１５、リニアマトリクス修正部４１６、階調設定値修正部４１７、黒レベル修正部４１８のそれぞれは、付加量Ｍm，Ｍr，Ｍg，Ｍb、ＭBを、以下の式（６）により変換する。
【０１６１】
Ｍm´＝Ｋ１×Ｍm＋Ｋ２
Ｍr´＝Ｋ１×Ｍr＋Ｋ２
Ｍg´＝Ｋ１×Ｍg＋Ｋ２
Ｍb´＝Ｋ１×Ｍb＋Ｋ２
ＭB´＝Ｋ１×ＭB＋Ｋ２
・・・（６）
【０１６２】
式（６）において、Ｋ１とＫ２は、下見撮影と本番撮影を行うカムコーダ２０の製造業者の組み合わせ別に予め設定された係数である。
【０１６３】
下見撮影と本番撮影のそれぞれを行うカムコーダ２０の製造業者を表す情報は、例えばユーザにより、マスタゲイン修正部４１４、ホワイトバランス修正部４１５、リニアマトリクス修正部４１６、階調設定値修正部４１７、黒レベル修正部４１８のそれぞれに入力される。
【０１６４】
式（６）の計算後、マスタゲイン修正部４１４、ホワイトバランス修正部４１５、リニアマトリクス修正部４１６、階調設定値修正部４１７、黒レベル修正部４１８のそれぞれは、付加量Ｍm´，Ｍr´，Ｍg´，Ｍb´、ＭB´を、式（１）乃至（５）の付加量Ｍm，Ｍr，Ｍg，Ｍb、ＭBとして用いて、式（１）乃至（５）を計算し、本番推薦撮影設定データを求める。
【０１６５】
次に、図１３を参照して、図１１の表示部３８６が近似映像を表示するための画面４３０の例について説明する。
【０１６６】
図１３の画面４３０は、映像表示部４３１、明るさ値変更バー４３２、ホワイトバランス値変更バー４３３、色合い値変更バー４３４、階調数値変更バー４３５、黒レベル値変更バー４３６、決定ボタン４３７、および終了ボタン４３８により構成される。
【０１６７】
映像表示部４３１には、図１２の黒レベル付与部４１１乃至４１３からのＲ信号、Ｇ信号、およびＢ信号と黒レベルとに基づいて、近似映像が表示される。
【０１６８】
明るさ値変更バー４３２は、映像表示部４３１に表示される映像の明るさを表す値を変更するときに、ユーザにより操作される。具体的には、ユーザは、明るさ値変更バー４３２に設けられたつまみ４３２Ａを移動させることにより、映像表示部４３１に表示される映像の明るさを表す値の変更量を入力する。
【０１６９】
ホワイトバランス値変更バー４３３、色合い値変更バー４３４、階調数値変更バー４３５、黒レベル値変更バー４３６は、明るさ値変更バー４３２と同様に、それぞれ、映像表示部４３１に表示される映像のホワイトバランス、色合い、階調数、黒レベルを表す値を変更するときに、ユーザにより操作される。
【０１７０】
即ち、ユーザは、ホワイトバランス値変更バー４３３に設けられたつまみ４３３Ａ、色合い値変更バー４３４に設けられたつまみ４３４Ａ、階調数値変更バー４３５に設けられたつまみ４３５Ａ、黒レベル値変更バー４３６に設けられたつまみ４３６Ａを、それぞれ、移動させることにより、映像表示部４３１に表示される映像のホワイトバランス、色合い、階調数、黒レベルを表す値の変更量を入力する。
【０１７１】
決定ボタン４３７は、明るさ値変更バー４３２、ホワイトバランス値変更バー４３３、色合い値変更バー４３４、階調数値変更バー４３５、および黒レベル値変更バー４３６を用いて入力した変更量を決定するときに、ユーザにより操作される。例えば、ユーザは、映像表示部４３１に表示される近似映像が、自分の意図した映像に最も近い場合、決定ボタン４３７を操作する。終了ボタン４３８は、画面４３０の表示を終了するときに、ユーザにより操作される。
【０１７２】
次に、図１４を参照して、図７のカムコーダ２０が撮影設定データを設定する設定処理について説明する。この設定処理は、例えば、ユーザが図５の入力部７６を操作することにより、図８の画面３２０の表示を指令したとき、開始される。
【０１７３】
なお、図１４においては、下見推奨撮影設定データを撮影設定データとして設定する場合について説明するが、本番推奨撮影設定データを撮影設定データとして設定する場合も同様の処理が行われる。
【０１７４】
ステップＳ４１において、取得部３０１は、ユーザの入力部７６の操作に対応して入力部３０５から供給されてくる、図８の画面３２０の表示の指令に応じて、素材利用装置２９に構成表（図２）を要求する。
【０１７５】
ステップＳ４１の処理後は、ステップＳ４２に進み、取得部３０１は、要求に応じて素材利用装置２９から送信されてくる構成表を取得し、ステップＳ４３に進む。ステップＳ４３において、取得３０１は、取得した構成表に基づいて、図８の画面３２０を表示させるための映像データを作成し、表示部３０２に供給することにより、表示部３０２に画面３２０を表示させる。
【０１７６】
ここで、ユーザは、入力部７６を操作することにより、図８の上方向ボタン３２２Ａまたは下方向ボタン３２２Ｂを操作して、設定対象とする下見推奨撮影設定データに対応する位置にカーソル３３１を移動させ、左方向ボタン３２３Ａまたは右方向ボタン３２３Ｂを操作することにより、選択領域３３２を、カーソル３３１内に表示される小項目「推奨」に対応する情報である「表示」を選択するように移動させる。
【０１７７】
ステップＳ４４において、入力部３０５は、ユーザにより実行ボタン３２４が操作されたかどうか、即ちユーザが入力部７６を操作することにより実行ボタン３２４を操作したかどうかを判定する。ステップＳ４４において、実行ボタン３２４が操作されたと判定された場合、入力部３０５は、選択領域３３２に対応する下見推奨撮影設定データを表示するための画面３４０（図９）の表示を取得部３０１に指令し、ステップＳ４５に進む。
【０１７８】
ステップＳ４５において、取得部３０１は、入力部３０５からの指令と、選択領域３３２に対応する下見推奨撮影設定データとに基づいて画面３４０を表示させるための映像データを作成し、表示部３０２に供給することにより、表示部３０２に画面３４０を表示させる。
【０１７９】
ステップＳ４５の処理後は、ステップＳ４６に進み、入力部３０５は、ユーザにより設定実行ボタン３４２（図９）が操作されたかどうかを判定し、設定実行ボタン３４２が操作されたと判定した場合、画面３４０に表示されている下見推奨撮影設定データの設定の指令を設定部３０３に供給して、ステップＳ４７に進む。
【０１８０】
ステップＳ４７において、設定部３０３は、入力部３０５からの指令に応じて、取得部３０１により取得された構成表に含まれる下見推奨撮影設定データのうち、画面３４０に表示されている下見推奨撮影設定データ、即ちユーザにより設定が指令された下見推奨撮影設定データを抽出し、撮影部３０４の撮影に用いる撮影設定データとして設定し、処理を終了する。
【０１８１】
一方、ステップＳ４４において、図８の実行ボタン３２４が操作されていないと判定された場合、ステップＳ４８に進み、入力部３０５は、終了ボタン３２５が操作されたかどうかを判定する。ステップＳ４８において、終了ボタン３２５が操作されていないと判定された場合、ステップＳ４４に戻り、実行ボタン３２４または終了ボタン３２５が操作されるまで、ステップＳ４４とＳ４８の処理を繰り返す。
【０１８２】
一方、ステップＳ４８において、入力部３０５は、終了ボタン３２５が操作されたと判定した場合、取得部３０１に画面３２０の表示の停止の指令を供給する。その結果、表示部３０２は、画面３２０の表示を終了する。
【０１８３】
また、ステップＳ４６において、図９の設定実行ボタン３４２が操作されていないと判定された場合、ステップＳ４９に進み、入力部３０５は、終了ボタン３４３が操作されたかどうかを判定し、終了ボタン３４３が操作されていないと判定した場合、ステップＳ４６に戻り、設定実行ボタン３４２または終了ボタン３４３が操作されるまで、ステップＳ４６とＳ４９の処理を繰り返す。
【０１８４】
一方、ステップＳ４９において、入力部３０５は、終了ボタン３４３が操作されたと判定した場合、取得部３０１に画面３４０の表示の停止の指令を供給する。その結果、表示部３０２は、画面３４０の表示を終了する。
【０１８５】
以上のように、カムコーダ２０は、素材利用装置２９のユーザによる入力に基づいて作成された構成表を、素材利用装置２９から取得し、その構成表に含まれる下見推奨撮影設定データを、撮影に用いる撮影設定データとして設定するので、離れた位置に存在する素材利用装置２９のユーザの意図した撮影を容易かつ確実に行うことができる。
【０１８６】
次に、図１５を参照して、図７のカムコーダ２０が下見撮影を行う下見撮影処理について説明する。この下見撮影処理は、例えば、ユーザが図５の入力部７６を操作することにより、下見撮影対象とするカットに対応するシーン番号とカット番号を入力したとき、開始される。
【０１８７】
ステップＳ６１において、入力部３０５は、ユーザにより撮影設定データの変更が指令されたかどうかを判定し、撮影設定データの変更が指令されたと判定した場合、その指令に応じて、いま設定されている撮影設定データの変更を設定部３０３に指令し、ステップＳ６２に進む。
【０１８８】
ステップＳ６２において、設定部３０３は、入力部３０５からの撮影設定データの変更の指令に応じて、いま設定されている撮影設定データを変更する。
【０１８９】
ステップＳ６１で撮影設定データの変更が指令されていないと判定された場合、またはステップＳ６２の処理後は、ステップＳ６３に進み、入力部３０５は、ユーザにより下見撮影が指令されたかどうかを判定する。ステップＳ６３において、下見撮影が指令されていないと判定された場合、下見撮影が指令されるまで待機する。
【０１９０】
ステップ６３において、下見撮影が指令されたと判定された場合、入力部３０５は、下見撮影を撮影部３０４に指令するとともに、ユーザにより入力されたシーン番号とカット番号を撮影部３０４に供給し、ステップＳ６４に進む。
【０１９１】
ステップＳ６４において、撮影部３０４は、設定部３０３により設定されている撮影設定データを用いて、下見撮影を行う。
【０１９２】
ステップ６４の処理後は、ステップＳ６５に進み、撮影部３０４は、入力部３０５から供給されたシーン番号およびカット番号と、下見撮影を表す情報とにより撮影ＩＤを作成し、その撮影ＩＤに対応付けて、下見撮影の結果得られる素材データと下見撮影に用いられた撮影設定データを、記録部３０６に記録させる。
【０１９３】
ステップ６５の処理後は、ステップＳ６６に進み、送信部３０７は、記録部３０６に記録されている素材データ、撮影設定データ、および撮影ＩＤを読み出し、素材利用装置２９に送信して、処理を終了する。
【０１９４】
以上のように、カムコーダ２０は、所定のシーンのカットを下見撮影するごとに、そのカットの素材データ、撮影設定データ、および撮影ＩＤを素材利用装置２９に送信する。
【０１９５】
なお、図１５では、カムコーダ２０が下見撮影を行う下見撮影処理について説明したが、本番撮影を行う処理も同様に行われる。
【０１９６】
次に、図１６を参照して、図１１の素材利用装置２９が下見使用撮影設定データを記録する使用設定データ記録処理について説明する。この使用設定データ記録処理は、例えば、図１５のステップＳ６６において、送信部３０７から素材データ、撮影設定データ、および撮影ＩＤが送信されてきたとき、開始する。
【０１９７】
ステップＳ８１において、受信部３８１は、カムコーダ２０の送信部３０７から素材データ、撮影設定データ、および撮影ＩＤを受信し、素材データを記録制御部３８２に供給するとともに、撮影設定データと撮影ＩＤを構成表作成部３８８に供給する。
【０１９８】
ステップＳ８１の処理後は、ステップＳ８２に進み、記録制御部３８２は、受信部３８１からの素材データを記録部３８３の所定のアドレスに記録させ、そのアドレスや素材データに付加されている素材ＩＤを構成表作成部３８８に供給する。
【０１９９】
ステップＳ８２の処理後は、ステップＳ８３に進み、構成表作成部３８８は、記録制御部３８２を制御し、受信部３８１からの撮影ＩＤに基づいて、受信部３８１からの撮影設定データを下見使用撮影設定データとして記録部３８３に記録させる。
【０２００】
例えば、受信部３８１からの撮影ＩＤが「下見１１」であり、記録部３８３に図２の構成表が記録されている場合、構成表作成部３８８は、まず最初に、記録制御部３８２を制御し、図２の構成表の小項目「シーン番号」の情報「１」に対応し、かつ小項目「カット番号」の情報「１」に対応する小項目「テイク番号」の情報として、いま存在する最大の数「２」に１だけ加えた「３」を記録部３８３に記録させる。
【０２０１】
次に、構成表作成部３８８は、記録制御部３８２を制御し、小項目「テイク番号」の情報として新たに追加された「３」に対応し、大項目「下見撮影設定データ」の小項目「使用」に対応する情報である下見使用撮影設定データとして、受信部３８１からの撮影設定データを記録部３８３に記録させる。即ち、記録部３８３に記録されている構成表の、小項目「テイク番号」に対応する情報「３」に対応し、大項目「下見撮影設定データ」の小項目「使用」に対応する欄に、受信部３８１から供給される撮影設定データが記入される。
【０２０２】
なお、図１６では、下見使用撮影設定データが記録される場合について説明したが、本番使用撮影設定データが記録される場合についても同様の処理が行われる。
【０２０３】
次に、図１７を参照して、図１１の素材利用装置２９が本番推奨撮影設定データを記録する推奨設定データ記録処理について説明する。この推奨設定データ設定処理は、例えば、ユーザが図６の入力部２０６を操作することにより、設定対象とする本番推奨撮影設定データに対応する下見テイクのテイク番号を、再生対象とする下見テイクのテイク番号として入力したとき開始される。
【０２０４】
ステップＳ１０１において、再生部３８４は、ユーザによる再生対象とするテイク番号の入力に対応する入力部３８７からの指令に応じて、再生対象とする下見テイクの素材データと、対応する下見使用撮影設定データとを再生し、設定データ変更部３８５に供給する。
【０２０５】
ステップＳ１０２において、設定データ変更部３８５は、再生部３８４からの素材データのうちの映像データに基づいて、表示部３８６に図１３の画面４３０を表示させる。このとき、画面４３０の映像表示部４３１には、再生部３８４からの映像データに対応する映像が表示される。
【０２０６】
ステップＳ１０２の処理後は、ステップＳ１０３に進み、入力部３８７は、ユーザにより、図１３のつまみ４３２Ａ乃至４３６Ａの少なくとも１つが操作されたかどうかを判定し、少なくとも１つが操作されたと判定した場合、その操作に対応する変更量を設定データ変更部３８５に供給し、ステップＳ１０４に進む。
【０２０７】
ステップＳ１０４において、設定データ変更部３８５は、入力部３８７からの変更量に応じて、映像表示部４３１に表示される映像を変更する。具体的には、図１２のRGB係数計算部４０１、リニアマトリクス計算部４０２、階調関数計算部４０３、Ｒゲイン乗算部４０４、Ｇゲイン乗算部４０５、Ｂゲイン乗算部４０６、リニアマトリクス４０７、階調補正部４０８乃至４１０、および黒レベル付与部４１１乃至４１３が、上述した図１２で説明したように処理を行い、黒レベル付与部４１１乃至４１３から、黒レベルが付与されたＲ信号、Ｇ信号、Ｂ信号が表示部３８６に出力される。その結果、映像表示部４３１に表示される映像が変更される。
【０２０８】
ステップＳ１０４の処理後は、ステップＳ１０５に進み、設定データ変更部３８５のマスタゲイン修正部４１４は、入力部３８７から供給される変更量のうちの明るさを表す値の変更量と、再生部３８４から供給される下見テイクの撮影設定データのうちのマスタゲインＧｍとに基づいて、上述した式（１）を計算することにより、新たなマスタゲインＧｍ´を得る。
【０２０９】
そして、マスタゲイン修正部４１４は、マスタゲインＧｍ´を、再生対象である下見テイクに対応するカットの本番推奨撮影設定データのマスタゲインとして、構成表作成部３８８に供給する。
【０２１０】
ステップＳ１０５の処理後は、ステップＳ１０６に進み、ホワイトバランス修正部４１５は、入力部３８７から供給される変更量のうちのホワイトバランスを表す値の変更量と、再生部３８４から供給される下見テイクの撮影設定データのうちのホワイトバランスＷｒ，Ｗｇ，Ｗｂとに基づいて、上述した式（２）を計算することにより、新たなホワイトバランスＷｒ´，Ｗｇ´，Ｗｂ´を得る。
【０２１１】
そして、ホワイトバランス修正部４１５は、ホワイトバランスＷｒ´，Ｗｇ´，Ｗｂ´を、再生対象である下見テイクに対応するカットの本番推奨撮影設定データのホワイトバランスとして、構成表作成部３８８に供給する。
【０２１２】
ステップＳ１０６の処理後は、ステップＳ１０７に進み、リニアマトリクス修正部４１６は、入力部３８７から供給される変更量のうちの色合いを表す値の変更量と、再生部３８４から供給される下見テイクの撮影設定データのうちのリニアマトリクス４０７で用いられる９個の係数ａijとに基づいて、上述した式（３）を計算することにより、新たな係数ａij´を得る。
【０２１３】
そして、リニアマトリクス修正部４１６は、係数ａij´を、再生対象である下見テイクに対応するカットの本番推奨撮影設定データの、リニアマトリクスにおける演算で用いられる係数として、構成表作成部３８８に供給する。
【０２１４】
ステップＳ１０７の処理後は、ステップＳ１０８に進み、階調設定値修正部４１７は、入力部３８７から供給される変更量のうちの階調数を表す値の変更量と、再生部３８４から供給される下見テイクの撮影設定データのうちの階調を設定するための２種類の係数ｂnとｃnとに基づいて、上述した式（４）を計算することにより、新たな係数ｂn´とｃn´を得る。
【０２１５】
そして、階調設定値修正部４１７は、係数ｂn´とｃn´を、再生対象である下見テイクに対応するカットの本番推奨撮影設定データの、階調設定値を決定するための係数ｂn´とｃn´として、構成表作成部３８８に供給する。
【０２１６】
ステップＳ１０８の処理後は、ステップＳ１０９に進み、黒レベル修正部４１８は、入力部３８７から供給される変更量のうちの黒レベルを表す値の変更量と、再生部３８４から供給される下見テイクの撮影設定データのうちの黒レベルＢとに基づいて、上述した式（５）を計算することにより、新たな黒レベルＢ´を得る。
【０２１７】
そして、黒レベル修正部４１８は、黒レベルＢ´を、再生対象である下見テイクに対応するカットの本番推奨撮影設定データの黒レベルとして、構成表作成部３８８に供給する。
【０２１８】
ステップＳ１０９の処理後は、ステップＳ１１０に進み、入力部３８７は、ユーザにより終了ボタン４３８が操作されたかどうかを判定し、終了ボタン４３８が操作されていないと判定した場合、ステップＳ１１１に進む。
【０２１９】
ステップＳ１１１において、入力部３８７は、ユーザにより決定ボタン４３７が操作されたかどうかを判定し、決定ボタン４３７が操作されていないと判定された場合、ステップＳ１０３に戻り、上述した処理を繰り返す。
【０２２０】
一方、ステップＳ１１１において、ユーザにより決定ボタン４３７が操作されたと判定された場合、ステップＳ１１２に進み、構成表作成部３８８は、直前に設定データ変更部３８５から供給された本番推奨撮影設定データを、構成表に記録させる本番推奨撮影設定データとして決定し、構成表の、映像表示部４３１に表示されている映像に対応するカット番号に対応し、大項目「本番撮影設定データ」の小項目「推奨」に対応する情報として記録部３８３に記録させることにより、構成表を更新する。
【０２２１】
以上のように、素材利用装置２９は、下見使用撮影設定データに基づいて、その下見使用撮影設定データに対応するカットの本番推奨設定データを決定し、構成表に記録させる。
【０２２２】
この後、本番推奨撮影設定データを撮影設定データとして設定する場合における図１４の設定処理が開始され、ステップＳ４１において、カムコーダ２０の取得部３０１から構成表の取得が要求されると、送信部３８９は、ステップＳ１１２で更新された構成表を記録部３８３から再生し、カムコーダ２０の取得部３０１に送信する。そして、取得部３０１は、ステップＳ４２において、その構成表を取得し、以降の処理が行われる。
【０２２３】
以上のように、カムコーダ２０は、下見撮影の結果得られた素材データと、その下見撮影に用いられた下見使用撮影下見設定データとを、素材利用装置２９に送信し、素材利用装置２９により、その下見使用撮影設定データに基づいて決定された本番推奨撮影設定データを、素材利用装置２９から取得するので、カムコーダ２０は、その本番推奨撮影設定データを本番撮影に用いられる本番撮影設定データとして設定することにより、離れた位置に存在する素材利用装置２９のユーザである企画者の意図した本番撮影を確実に行うことができる。
【０２２４】
また、ステップＳ１０３において、入力部３８７は、つまみ４３２Ａ乃至４３６Ａのいずれも操作されていないと判定した場合、ステップＳ１０４乃至Ｓ１０９をスキップして、ステップＳ１１０に進む。
【０２２５】
さらに、ステップＳ１１０において、入力部３８７は、終了ボタン４３８が操作されたと判定した場合、処理を終了する。
【０２２６】
なお、上述した説明では、撮影設定データ、素材データなどの各種のデータが、ネットワーク３１を介してやり取りされるものとしたが、カムコーダ２０と素材利用装置２９は、撮影設定データをリムーバブルメディア３３等のメディアに記録させ、そのメディアを介してやり取りするようにしてもよい。
【０２２７】
また、上述した説明では、本番推奨撮影設定データは、それが作成される基となった下見使用撮影設定データに対応するカットと同一のカットの本番撮影に用いられる撮影設定データとして推奨されたが、別のカットや別の作品の撮影に用いられる撮影設定データとして推奨されるようにしてもよい。
【０２２８】
なお、本明細書において、プログラム記録媒体に格納されるプログラムを記入するステップは、記載された順序に沿って時系列的に行われる処理はもちろん、必ずしも時系列的に処理されなくとも、並列的あるいは個別に実行される処理をも含むものである。
【０２２９】
また、本明細書において、システムとは、複数の装置により構成される装置全体を表すものである。
【０２３０】
なお、本発明の実施の形態は、上述した実施の形態に限定されるものではなく、本発明の要旨を逸脱しない範囲において種々の変更が可能である。
【図面の簡単な説明】
【０２３１】
【図１】本発明を適用したネットワークシステムの構成例を示す図である。
【図２】構成表の例を示す図である。
【図３】下見撮影作業を説明するフローチャートである。
【図４】本番撮影作業を説明するフローチャートである。
【図５】カムコーダのハードウェア構成例を示すブロック図である。
【図６】素材利用装置のハードウェア構成例を示すブロック図である。
【図７】カムコーダの機能的構成例を示すブロック図である。
【図８】下見推奨撮影設定データと下見使用撮影設定データを表示させるための画面の例を示す図である。
【図９】下見推奨撮影設定データを設定するための画面の例を示す図である。
【図１０】下見使用撮影設定データを表示するための画面の例を示す図である。
【図１１】素材利用装置の機能的構成例を示すブロック図である。
【図１２】設定データ変更部の詳細構成例を示すブロック図である。
【図１３】近似映像を表示するための画面の例を示す図である。
【図１４】設定処理を説明するためのフローチャートである。
【図１５】下見撮影処理を説明するためのフローチャートである。
【図１６】使用設定データ記録処理を説明するためのフローチャートである。
【図１７】推奨設定データ記録処理を説明するためのフローチャートである。
【符号の説明】
【０２３２】
２１，２２  カムコーダ，  ２９  素材利用装置，  ３０１  取得部，  ３０２  表示部，  ３０３  設定部，  ３０４  撮影部，  ３０５  入力部，  ３０６  記録部，  ３０７  送信部
【図１】
2007295479.tif 000003
【図２】
2007295479.tif 000004
【図３】
2007295479.tif 000005
【図４】
2007295479.tif 000006
【図５】
2007295479.tif 000007
【図６】
2007295479.tif 000008
【図７】
2007295479.tif 000009
【図８】
2007295479.tif 000010
【図９】
2007295479.tif 000011
【図１０】
2007295479.tif 000012
【図１１】
2007295479.tif 000013
【図１２】
2007295479.tif 000014
【図１３】
2007295479.tif 000015
【図１４】
2007295479.tif 000016
【図１５】
2007295479.tif 000017
【図１６】
2007295479.tif 000018
【図１７】
2007295479.tif 000019